(57)【要約】【課題】携帯端末に外部取付装置を取付け、外部測定機器から得られた測定データを遠隔サーバーに送信，記録する方法及び装置ににおいて、外部取付装置を、携帯端末の仕様に拘束されないようにし、外部取付装置の汎用性を増すと共に、データ伝送を容易なものとする。【解決手段】外部測定機器から得られた測定データを外部取付装置でＤＴＭＦ信号に変換し、携帯端末を通して遠隔サーバーにＤＴＭＦ信号で送信するようにする。これを受信した遠隔サーバーは、ＤＴＭＦ信号から元の測定データを復元して記憶する。【選択図】              図１
2004214832.tif 000002
【特許請求の範囲】
【請求項１】
外部測定機器から得られた情報のデジタル化されたデータの出力を携帯電話の外部取付装置に入力し、
予め定められた変換式に従って数値データに変換し、
この数値データを更に携帯端末のキャリアの仕様に基づいた伝送方式に変換し、
外部取付装置内に予め記憶されている相手方電話番号，パスワード等の信号と共に携帯電話に出力し、
携帯電話からＤＴＭＦ信号として発信させ、
信号を受信した遠隔サーバーはＤＴＭＦ信号を数値信号に復元し、
数値信号を予め定められた変換式に従ってデータに復元し、
復元されたデータを遠隔サーバーに記録する方法。
【請求項２】
測定した信号をデジタル信号に変換する外部測定機器、
前記外部測定機器の出力側に接続されており、デジタル信号を数値データに変換する手段、数値データを携帯端末のキャリアの仕様に基づいた伝送方式に変換する手段、相手先電話番号、パスワード等の信号を記憶し出力する手段、を備えた外部取付装置、
外部取付装置に接続されており、外部取付装置の出力信号によってＤＴＭＦ信号を発信する携帯端末、
とよりなる、データ信号の発信装置。
【発明の詳細な説明】
【０００１】
【発明の属する技術分野】
本発明は携帯電話の外部取付装置を利用したデータの遠隔サーバーへの送信，記録方法及びそれに用いられる装置に関するもので、特に電話のＤＴＭＦ（Ｄｉａｌ  Ｔｏｎｅ  Ｍｕｌｔｉ−Ｆｒｅｑｕｅｎｃｙ）信号を利用した送信方法及び送信装置に関するものである。
【０００２】
【従来の技術】
携帯電話を利用した通信、特にインターネットを利用した通信では、遠隔サーバーへの接続手順の煩雑さを低減するため、携帯電話の外部取付端子に外部取付装置を接続し、外部取付装置に記憶されている手順に従って、携帯電話を操作する諸種の装置や方法が提案されている。
【０００３】
その一例である特開２００１−２２３３１１号の発明では、「通信補助装置」（外部取付装置）の記憶部に特定のＵＲＬ（ホームページアドレス），ＩＤ，パスワードなどを予め記憶させておき、携帯電話の所有者がこれを外部接続端子に取付け，発信操作することによって自動的にホームページに接続できるようにした通信補助装置及び通信支援方法が提案されている。
【０００４】
また、特開２００２−２２３３２０号の発明には、上記通信補助装置とほぼ同様の機能を有する「簡易アクセス用外付機器」と、それを取付けた複数の携帯用通信端末からのアクセスを、所定のＷｅｂサーバへ接続するための簡易アクセス方法が提案されている。
【０００５】
なお、外部取付端子を利用するものではないが、携帯電話のマイクロホン端子（イヤフォン端子）を利用する外付機器として株式会社富士ゼロックスが商品化している「流暢Ｔｅｌ＆Ｔｅｌｌ」のような外付機器がある。
この機器は音声と、それに対応したＤＴＭＦ信号の両方を利用し、電話機間の直接通信を行うためのものであり、電話機のダイヤル操作機能を有するものではない。また遠隔サーバー等を利用するものではない。
【０００６】
【発明が解決しようとする課題】
現在市販されている携帯電話機は製造メーカー毎に、また同一製造メーカーでも製造年代、機種毎に仕様が異なるため、上記特開２００１−２２３３１１号、特開２００２−２２３３２０号に示されたような外部取付装置を使用して通信を行うためには、使用する携帯電話機の仕様に合わせたプログラムを予め外部取付装置に内蔵させる必要があった。
また、異なる携帯電話に使用するときには、その都度プログラムを書き換える必要があった。
そのため携帯電話機の仕様に合致した外部取付装置が必要になり、緊急時の利用ができなかったり、量産による機器の価格の低減にも制約となっていた。
【０００７】
【課題を解決するための手段】
本発明においては、先ず送信しようとするデータを外部取付装置において予め規定した変換数式に従って数値データに変換し、数値データを更にＤＴＭＦ信号に変換し、これを携帯電話を通して発信し、遠隔サーバーに接続する。
一方、遠隔サーバー側の電話着信装置は、ＤＴＭＦ信号を解読する機能を備えるようにし、着信したＤＴＭＦ信号を数値データに変換した後、変換数式に従ってデジタル信号に復元し、遠隔サーバー上に蓄積する。
このような装置、方法を使用することにより、外部取付装置はいかなる仕様の携帯電話にも取付けができるようになり、凡用性が飛躍的に増大することになる。
【０００８】
【発明の実施の形態】
本発明の実施の形態を、本発明を肌情報の記録システムに適用した場合を例に説明する。
肌情報とは、肌のその時々における乾湿度、油性度、酸性度、荒れ方などに関する情報で、これらの要素は個人の体質、気温、湿度、おかれた環境などにより、時々刻々と変化するものである。
従って、個人の肌情報はいろいろな条件のものをできるだけ多数記録しておき、それらを参照しながら現在の状態を判断することが望ましい。
【０００９】
例えば、そのときの肌の状態に、もっとも適切な化粧に関する情報を得たいものは、手元の携帯端末を使用して、遠隔サーバーに接続し、化粧品会社などが運用するデータベースサーバーに、日頃の肌情報を予め記録しておく。
そして、化粧開始の時点でそのときの肌情報を携帯電話を使って送信すれば、データベースサーバーは過去の肌履歴を参照し、そのときもっとも適した化粧方法や化粧品を選んで返信し、使用者の手もとの携帯電話の画面に表示することができる。
また、慢性皮膚疾患を有する患者が皮膚の状況を病院のデータベースに記録しておき、その後症状の変化を携帯電話から送信すれば、医師はその都度適切な診断を下すことができる。
【００１０】
以下実施の形態を図面を用いて説明する。
図１は、本発明の全体の構成を示すブロック図である。
３は通常の携帯電話機で、利用者が原則として常時身に付けているものである。
２は外部取付装置で、携帯電話の外部取付端子に接続されている。
１は一般に市販されている肌センサーの一種で、検知部を肌に押し当てることにより、前記のような肌情報をデジタル電気信号に変換する機能を有する。
４は電話受発信装置で、携帯電話３の発信を受信し、それを遠隔サーバー５に伝送し、遠隔サーバー５はそれを記憶する。また遠隔サーバー５の出力を携帯電話３に返信する発信装置として機能することもある。
【００１１】
いま使用者が自己の肌情報を遠隔サーバーに記録したいときは、肌センサ１の検知部を肌の被測定部位に押し当てると、その部位の現在の肌情報がデジタル信号に変換され、外部取付装置２に出力される。
外部取付装置２はこれをＤＴＭＦ信号に変換するとともに、電話受発信装置４との接続を可能にするような相手先電話番号，Ｉ．Ｄ．，パスワードなどと共に携帯電話３に出力する。
携帯電話３はこれを電話受発信装置４に発信する。
電話受発信装置４は受信した信号に含まれるＩ．Ｄ．パスワードなどに応じてサーバー５を選択し、遠隔サーバー５は利用者の肌情報を記録する。
【００１２】
もし利用者の送出した信号に化粧方法の回答を求める指示が含まれている場合は、遠隔サーバー５は過去に蓄積された肌情報を参照し、その時点における最適な化粧方法を判断し、電話受発信装置４から利用者の携帯電話３に送信し、携帯電話３の画面に表示させる。
【００１３】
図２は外部取付装置２の内部構成と動作を説明するブロック図である。
２１は受信回路で肌センサーのデジタル信号を受信する。
２２は、メモリー回路で肌センサーからの入力であるデジタルデータ信号を記憶する。
肌の測定は数ヶ所で行うのが普通なのでメモリー回路２２は複数のデータを記憶し保存する機能を有することが望まれる。
２３は変換モジュールで入力データを０乃至９及び＊，♯の組合わせ信号に変換する。
２４は初期設定用データメモリーで、図１に示す接続先電話受発信装置４の電話番号やデータベースサーバー５にアクセスするためのＩ．Ｄ．パスワード等が書き込まれている。
２５はトランスモジュールで変換モジュール２３、初期設定用メモリー２４の出力を携帯電話会社により異なるキャリア仕様に変換して携帯電話３に出力する。
【００１４】
携帯電話３は外部取付装置の出力に従って自動的に発信操作を行い、電話受発信装置４を経由して、遠隔サーバー５に接続される。
【００１５】
【発明の効果】
本発明によると、携帯電話を利用したデータの送信においてデータを一旦ＤＴＭＦ信号に変換して送信するので携帯電話の製造メーカーや型式による仕様の差に関わらず単一の外部取付装置を用いることができるので、利用者の取り扱いが簡単になり、装置も安価に提供できるようになる。
【図面の簡単な説明】
【図１】本発明の構成を示すブロック図
【図２】本発明に使用される携帯電話の外部取付装置の構成を示すブロック図
【符号の説明】
１・・・肌センサー
２・・・外部取付装置
３・・・携帯電話機
４・・・電話受発信装置
５・・・遠隔サーバー
２１・・・受信回路
２２・・・メモリー回路
２３・・・変換モジュール
２４・・・初期設定用メモリー
２５・・・トランスモジュール
【図１】
2004214832.tif 000003
【図２】
2004214832.tif 000004